(57)【要約】【課題】ケース後面のスピーカからの音がトイレルーム内に伝わり易く、またスピーカ設置部に水が掛かりにくく、しかもトイレルーム内の美観も良好となる便座装置を提供する。【解決手段】便座ボックス２のアンダーボックス部６ａの後面に凹所６ｂが設けられている。この凹所６ｂは、アンダーボックス部６ａの後面から前方に向って凹陥していると共に、アンダーボックス部６ａの底面に向って開放している。洋風便器１は、凹所６ｂ以外のアンダーボックス部６ａの後面と、カバー７の後面７ａと、サイドカバー５の後縁とがトイレルームの壁面Ｗに当接するようにしてトイレルームの床面Ｆ上に据え付けられている。スピーカ９からの音は、開口８から凹所６ｂを通ってトイレルーム内に伝わる。【選択図】図２
2011099294.tif 000002
【特許請求の範囲】
【請求項１】
洋風便器の後部に設置されるケースと、該ケースに取り付けられた便座とを備え、該ケースの後面の一部にスピーカ設置部が設けられている便座装置において、
該ケースの後面のうち該スピーカ設置部よりも上位に、最も後方に位置する最後方部が設けられていることを特徴とする便座装置。
【請求項２】
請求項１において、前記ケースの後面の下部に、前方に向って凹陥する凹所が設けられており、
該凹所に前記スピーカ設置部が設けられており、
該凹所はケースの下方又は側方に向って開放していることを特徴とする便座装置。
【請求項３】
請求項１又は２において、該最後方部は、該ケースの後面の上縁部であることを特徴とする便座装置。
【請求項４】
請求項１ないし３のいずれか１項において、該ケースの後面は下向きに傾斜する斜面を有しており、前記スピーカ設置部は、この斜面又はそれよりも下方に配置されていることを特徴とする便座装置。
【発明の詳細な説明】
【技術分野】
【０００１】
本発明は、洋風便器の後部に設置される便座装置に係り、特に後面にスピーカが設けられた便座装置に関する。
【背景技術】
【０００２】
洋風便器の後部上面に便座ボックス等のケースが設置され、このケースに便座及び便蓋を起倒方向回動可能に取り付けた洋風便器設備が広く用いられている。
【０００３】
特開２００４−１１３３８８号公報には、このケースの後面にスピーカを設けた便座装置が記載されている。同号公報の便座装置にあっては、その００１１段落の通り、ケースの後面が上斜め方向に傾斜している。
【先行技術文献】
【特許文献】
【０００４】
【特許文献１】特開２００４−１１３３８８号公報
【発明の概要】
【発明が解決しようとする課題】
【０００５】
トイレルーム内に洋風便器を設置する場合、洋風便器をなるべく後方に配置することにより、洋風便器前方のスペースを広くとることが望まれることが多い。
【０００６】
そこで、洋風便器を、その後端が該便器後方のトイレルーム壁面に当接するように設置することがある。この場合、便座ボックス等のケース後面にスピーカが設置されていると、スピーカと壁面との間のスペースが小さいか又は無いため、スピーカの音が外部に伝わりにくくなる。例えば、スピーカの音がケース内にこもってしまい、音質が悪くなる。
【０００７】
上記特開２００４−１１３３８８号公報のように、ケース後面が上向き斜面になっている場合、この傾斜角を大きくすることにより、ケース後面と壁面との間に比較的大きな隙間が存在することになり、ケース後面のスピーカからの音がこの隙間を通ってトイレルーム室内に伝わり易くなる。
【０００８】
ところが、上記特開２００４−１１３３８８号公報のようにケース後面が上向き斜面であると、ケース後面の上縁部とトイレルーム壁面との間に大きな隙間が視認されることになり、美観（見栄え）が悪くなると共に、この隙間にゴミ、埃や小物などが入り込み易い。
【０００９】
また、特開２００４−１１３３８８号公報にあっては、ケース後面が上向き斜面となっているので、ケースに水が掛ったときにこの水が後面を伝わり落ちてスピーカに接触するおそれがある。これを防ぐためには、同号公報の図５〜７のように、スピーカに水が伝わることを防止するために、スピーカ設置部の上側に突起を設けることが必要となる。
【００１０】
本発明は、このような問題点を解決し、ケース後面のスピーカからの音がトイレルーム内に伝わり易く、またスピーカ設置部に水が掛かりにくく、しかもトイレルーム内の美観も良好となる便座装置を提供することを目的とする。
【課題を解決するための手段】
【００１１】
請求項１の便座装置は、洋風便器の後部に設置されるケースと、該ケースに取り付けられた便座とを備え、該ケースの後面の一部にスピーカ設置部が設けられている便座装置において、該ケースの後面のうち該スピーカ設置部よりも上位に、最も後方に位置する最後方部が設けられていることを特徴とするものである。
【００１２】
請求項２の便座装置は、請求項１において、前記ケースの後面の下部に、前方に向って凹陥する凹所が設けられており、該凹所に前記スピーカ設置部が設けられており、該凹所はケースの下方又は側方に向って開放していることを特徴とするものである。
【００１３】
請求項３の便座装置は、請求項１又は２において、該最後方部は、該ケースの後面の上縁部であることを特徴とするものである。
【００１４】
請求項４の便座装置は、請求項１ないし３のいずれか１項において、該ケースの後面は下向きに傾斜する斜面を有しており、前記スピーカ設置部は、この斜面又はそれよりも下方に配置されていることを特徴とするものである。
【発明の効果】
【００１５】
本発明の便座装置を備えた便器設備は、ケース後面のスピーカ設置部の上側に最後方部が存在するので、この最後方部をトイレルームの壁面に当接又は著しく近接させるようにして設置した場合でも、ケース後面のスピーカ設置部と壁面との間に空間部が形成される。そのため、スピーカからの音が該空間部を通ってトイレルーム内に伝わり易くなり、音質の低下も防止される。
【００１６】
本発明では、この最後方部がスピーカ設置部の上側に位置するので、ケースに掛った水がケース後面を伝わり落ちてきても、スピーカ設置部に掛かりにくいものとなる。ケース後面に凹部を設け、スピーカ設置部をこの凹部に設けた場合には、スピーカ設置部に水が掛かりにくくなると共に、埃も付きにくくなる。
【００１７】
最後方部をケース後面の上縁部に設け、この最後方部を便器後方のトイレルーム壁面に当接又は著しく近接させることにより、ケース後面とトイレルーム壁面との間の隙間に小物やゴミ、水などが入り込むことが防止される。また、ケース後面の上縁部とトイレルーム壁面との間に隙間が全く又は殆ど生じないので、美観が良好となる。
【図面の簡単な説明】
【００１８】
【図１】実施の形態に係るトイレルーム内の斜視図である。
【図２】（ａ）図は実施の形態に係る便座装置の便座ボックスの斜視図、（ｂ）図は（ａ）図のＢ−Ｂ線断面図である。
【図３】別の実施の形態に係る便座装置の便座ボックスの斜視図である。
【図４】実施の形態に係る便座装置の便座ボックスの断面図である。
【図５】実施の形態に係る便座装置の便座ボックスの断面図である。
【図６】実施の形態に係る便座装置の便座ボックスの断面図である。
【図７】実施の形態に係る便座装置の便座ボックスの分解斜視図である。
【図８】図７の便座ボックスの断面図である。
【図９】別の実施の形態に係る便座装置の便座ボックスの斜視図である。
【図１０】別の実施の形態に係る便座装置を備えた洋風便器の側面図である。
【図１１】さらに別の実施の形態に係る便座装置を備えた洋風便器の側面図である。
【図１２】異なる実施の形態に係る便座装置の便座ボックスの断面図である。
【発明を実施するための形態】
【００１９】
以下、図面を参照して実施の形態について説明する。第１図及び第２図は第１の実施の形態を示すものであり、第１図はトイレルーム内の斜視図、第２図（ａ）は便座ボックスの後方からの斜視図、第２図（ｂ）は同（ａ）のＢ−Ｂ線断面図である。なお、以下の説明において、前後左右は、便座に通常使用姿勢にて座った使用者から見た前後左右を表わす。
【００２０】
陶器又は焼結合成樹脂等よりなる洋風便器１の後部上面にケースとしての便座ボックス２が設置され、この便座ボックス２の前部が該洋風便器１の鉢部に臨んでいる。この便座ボックス２の前部には、便座３及び便蓋４が上下方向回動可能に取り付けられている。
【００２１】
図示は省略するが、便座ボックス２内には、便座３に着座した用便者の臀部等を洗浄水（例えば温水）で洗浄するためのノズルと、この洗浄水を加温するためのヒータ、温水タンク等の加温手段等を備えた衛生洗浄装置が設置されている。便座ボックス２の前端面には、このノズルを洋風便器１の鉢部内に突出させるための開口が設けられている。また、便座ボックス２内には、衛生洗浄装置の他に、温風乾燥装置や脱臭装置なども設置されている。これらの装置は、リモコン（図示略）のスイッチ操作に基づいて作動する。
【００２２】
この実施の形態では、便座ボックス２は、ベース６と、該ベース６に被さるカバー７とを有した中空箱形状である。ベース６の後部からは下方にアンダーボックス部６ａが突設されており、このアンダーボックス部６ａ内にスピーカ９が設置されている。なお、ベース６の該アンダーボックス部６ａよりも前側部分が洋風便器１の後部上面に載置され、ボルト（図示略）によって該便座ボックス２が洋風便器１に固定されている。
【００２３】
アンダーボックス部６ａの左右のサイド部に、第１図に示すようにサイドカバー５がフック、ビス等によって着脱可能に装着されている。
【００２４】
アンダーボックス部６ａの後面に凹所６ｂが設けられている。この凹所６ｂは、アンダーボックス部６ａの後面から前方に向って凹陥していると共に、アンダーボックス部６ａの底面に向って開放している。凹所６ｂのアンダーボックス部後面からの凹陥深さは５〜２０ｍｍ特に５〜１０ｍｍ程度が好ましい。凹所６ｂの天井面部分は、便座ボックス後面に対し略垂直（例えば９０°±１０°程度）となっている。
【００２５】
この凹所６ｂの奥壁面（壁面Ｗに対峙する縦面）の左右２箇所に、スピーカ９からの音を便座ボックス２外に導くためのスリット状開口８が設けられている。スピーカ９は、この開口８に臨むようにしてアンダーボックス部６ａ内に設置されている。なお、開口８には、布、メッシュなどよりなる埃除けシートが設けられている。この実施の形態では、この開口８部分がスピーカ設置部となっている。
【００２６】
この実施の形態では、アンダーボックス部６ａの後面（ただし、凹所６ｂを除く）とカバー７の後面７ａとは面一の鉛直面となっている。便座ボックス２の後面の上縁部は、この面一の鉛直面部分に含まれている。
【００２７】
この便座ボックス２を備えた洋風便器１は、凹所６ｂ以外のアンダーボックス部６ａの後面と、カバー７の後面７ａと、サイドカバー５の後縁とがトイレルームの壁面Ｗに当接するか、又は壁面Ｗからの距離が１５ｍｍ以内となるように著しく近接するようにしてトイレルームの床面Ｆ上に据え付けられている。洋風便器１は、その最後部が壁面Ｗよりも前方に位置している。
【００２８】
第１図の通り、サイドカバー５の下端と床面Ｆとの間には１０〜２０ｍｍ程度の隙間があいている。
【００２９】
スピーカ９からの音（音楽や、流水音、便器設備の作動状況又は作動方法等を示す音声など）は、開口８及び凹所６ｂを通ってトイレルーム内に伝わる。この凹所６ｂは、アンダーボックス部６ａの下方に向って開放しているので、音は、凹所６ｂからサイドカバー５と床面Ｆとの間の隙間を通ってトイレルーム内に良く伝わる。この際の音質の低下も全く又は殆どない。なお、サイドカバー５の後縁の全体又は一部と壁面Ｗとの間に１５〜３０ｍｍ程度の隙間を設けてもよく、この場合には、スピーカ９からの音はこの隙間を通ってトイレルーム内に良く伝わる。
【００３０】
この便器設備を備えたトイレルームにあっては、便座ボックス２の後面の上縁部を含め凹所６ｂよりも上側部分が壁面Ｗに当接又は著しく近接しているので、美観が良好であると共に、ゴミ、小物等が便座ボックス２の後面に入り込むことがない。また、スピーカ設置部が凹所６ｂの奥壁面に設けられているので、スピーカ設置部に水が掛かることが防止されると共に、開口８に埃が付着することも抑制される。
【００３１】
［別の実施の形態］
上記第１の実施の形態では、凹所６ｂは後方及び下方に向ってのみ開放しているが、第３図の便座ボックス２Ａの凹所６ｃのように、さらに左右の側方に向っても開放してもよい。この実施の形態によれば、スピーカ９からの音は、凹所６ｃから左右方向にも抜けるようになる。この実施の形態のその他の構成は第１の実施の形態と同様であり、同一符号は同一部分を示している。
【００３２】
上記実施の形態では、便座ボックス２の後面は、凹所６ｂ、６ｃを除いて面一の鉛直面となっているが、第４図の便座ボックス２Ｂのように、カバー７の後面７ｂが下部ほど前方となる下向きの斜面となっていてもよい。この実施の形態では、アンダーボックス部６ａの洋風便器はその全体が面一状の鉛直面となっており、後面７ｂの下端に連なっている。アンダーボックス部６ａの後面は、カバー７の後面７ｂの上縁部よりも５〜２０ｍｍ程度前方に位置している。
【００３３】
第１２図の便座ボックス２Ｈのように、アンダーボックス部６ａの後面を、下部ほど前方となるように下向きの斜面とし、この後面の開口８に対面させてスピーカ９を設置してもよい。この斜面は、アンダーボックス部６ａの後面の左端から右端まで連続していてもよく、左右方向の中央部にのみ設けられてもよい。開口８及びスピーカ９は斜面の下部に設けられることが好ましい。開口８付近においては、アンダーボックス部６ａの後面と壁面Ｗとの間に５ｍｍ以上、例えば５〜２０ｍｍ程度の隙間があくことが望ましい。第１２図のその他の構成は、第２図（ｂ）又は第３図と同一であり、同一符号は同一部分を示している。
【００３４】
第５図の実施の形態では、便座ボックス２Ｃの後面は、上縁部７ｔが最も後方に突出している。この上縁部７ｔは、上下方向に所定幅を有した鉛直面よりなり、カバー７の左側面及び右側面にまで達している。
【００３５】
この上縁部７ｔの下側に続く後面７ｃは、上縁部７ｔよりも５〜２０ｍｍ程度前方に位置した鉛直面よりなる。アンダーボックス部６ａの後面は、全体として、後面７ｃと面一状の鉛直面よりなる。
【００３６】
第６図の実施の形態では、便座ボックス２Ｄのカバー７の後面７ａは、全体としてごくわずかに、上部ほど前方となるように傾斜している。この傾斜角度（壁面Ｗとの挟角）は５°以上特に５〜１０°程度が好適である。便座ボックス２Ｄのアンダーボックス部６ａの構成は第２図（ｂ）と同一である。この実施の形態では、カバー７の後面７ａの下端と、アンダーボックス部６ａの後面のうち凹部６ｂよりも上側部分とが最後方部となっている。この実施の形態でも、凹部６ｂの奥壁面にスピーカ設置部（開口８付近）が存在している。また、カバー後面７ａの前傾角度も小さいので、第１の実施の形態と同様の効果が奏される。
【００３７】
第６図では、ベース６はアンダーボックス部６ａまで一連一体に図示されているが、複数のパーツにて構成されていてもよい。このような実施の形態の詳細構造を第７，８図に示す。第７図はこの便座ボックス２Ｅの後方からの分解斜視図であり、リヤアンダーカバーは分離した状態にて示されている。第８図は、便座ボックスの内部機構を省略した便座ボックススケルトン部分の縦断面図である。
【００３８】
この便座ボックス２Ｅのカバー７の構成は第６図の便座ボックス２Ｄと同一であり、カバー後面７ａは若干前傾している。
【００３９】
第８図のように、ベースは、固定ベース６Ａと昇降ベース６Ｂとで構成されている。固定ベース６Ａは、便器に対し固定されている。昇降ベース６Ｂは、その後部が固定ベース６Ａに重なり、前部がカバー７の前端まで延在している。
【００４０】
この昇降ベース６Ａは、便座ボックス２Ｅ内に設けられたラックアンドピニオン機構や油圧シリンダ機構などの昇降機構によって昇降駆動される。なお、手動にて昇降するよう構成されてもよい。カバー７は、この昇降ベース６Ｂに取り付けられており、便座３及び便蓋４と共に、昇降ベース６Ｂと一緒に昇降する。７ｈは便座３及び便蓋４の支持部を示す。
【００４１】
固定ベース６Ａの後部下面から下方にブラケット１１が突設され、このブラケット１１にフロントアンダーカバー１２がビス、ボルト等の留付具によって取り付けられている。このフロントアンダーカバー１２は、アンダーボックス部６ａを前後に２分割したうちの前半側を構成している。
【００４２】
このフロントアンダーカバー１２に、スピーカ９の取付部１３が設けられており、スピーカ９の後部が該取付部１３に係合している。
【００４３】
スピーカ９には、側周面から１対の取付片部９ａが突設されており、該取付片部９ａがフロントアンダーカバー１２の取付座１３ａに対しビス留めされている。
【００４４】
フロントアンダーカバー１２と係合するリヤアンダーカバー１４は、前記アンダーボックス部６ａを前後に２分割したときの後半側を構成するものである。
【００４５】
第６図の実施の形態と同じく、このリヤアンダーカバー１４の下部に凹部６ｂが設けられ、この凹部６ｂの奥壁面にスピーカ設置部が設けられている。
【００４６】
第８図に示す通り、このスピーカ設置部を構成する開口はガラリ状となっており、水や埃などが内部に浸入しにくい構造となっている。
【００４７】
このリヤアンダーカバー１４は、フロントアンダーカバー１２に設けられたボス部１２ｂに対しビス留めされる。
【００４８】
この第７，８図の実施の形態でも、第６図の実施の形態と同様の作用効果が奏される。なお、カバー後面７ａを若干、上部ほど前方となるように前傾させているので、カバー７を昇降ベース６Ｂと共に昇降させるときに、カバー後面７ａがトイレルーム壁面と接触することが防止又は抑制され、カバー７がスムーズに昇降する。昇降ベース６Ｂを上昇させると、その下側の便器上面を入念に清掃することができる。
【００４９】
上記各実施の形態はいずれもアンダーボックス部６ａを有しているが、本発明では、便座ボックスはアンダーボックス部を備えなくてもよい。第９図はかかる実施の形態に係る便座ボックス２Ｆの斜視図、第１０図は該便座ボックス２Ｆを備えた洋風便器１Ｆの設置状態を示す断面図である。
【００５０】
この実施の形態では、便座ボックス２Ｆはカバー７部分のみを有しており、便座ボックス２Ｆの底面は全体として略水平な面一状となっている。この便座ボックス２Ｆの底面のほぼ全体が洋風便器１Ｆの後部上面に配置されている。この便座ボックス２Ｆの後面は、下縁を除いて面一状の鉛直面の後面７ｅと、この後面７ｅの下側に連なり、後面７ｅから段差状に凹陥する凹所７ｄとから構成されている。この凹所７ｄの後面７ｅからの凹陥深さは５〜２０ｍｍ程度が好適である。凹所７ｄは、便座ボックス２Ｆの左右の側面にまで到達している。前記実施の形態と同じく、この凹所７ｄの左右２箇所にスピーカ用の開口８が設けられている。第１０図の通り、この後面７ｅを壁面Ｗに当接させた状態にて洋風便器１Ｆがトイレルーム床面Ｆ上に設置されている。スピーカ９からの音は、凹所７ｄから便座ボックス２Ｆの側方へ抜ける。
【００５１】
第９，１０図では、便座ボックス２Ｆの後面７ｅは鉛直面となっているが、前記第６〜８図のように若干前傾していてもよい。また、第１１図の便座ボックス２Ｇのように、後面７ｆが下向きの斜面となっていてもよい。図示は省略するが、この斜面よりなる後面７ｆの下部に開口８が設けられ、スピーカ９がこの開口８に臨むように設けられている。洋風便器１Ｆは、この後面７ｆの上縁部を壁面Ｗに当接させた状態にて設置されている。開口８付近においては、後面７ｆと壁面Ｗとの間に５〜２０ｍｍ程度の隙間があいており、スピーカ９からの音はこの隙間を通って便座ボックス２Ｇの左右及び下方に抜ける。
【００５２】
上記実施の形態はいずれも本発明の一例であり、本発明は図示以外の態様とされてもよい。例えば、第５図、第９，１０図では、上縁部７ｔ、後面７ｅが鉛直面となっているが、それぞれ下向きの斜面とされてもよく、若干前傾してもよい。
【００５３】
上記実施の形態では、ケースは便座ボックスであるが、ロータンクカバーの場合にも本発明を適用することができる。
【符号の説明】
【００５４】
１，１Ｆ  洋風便器
２，２Ａ，２Ｂ，２Ｃ，２Ｄ，２Ｅ，２Ｆ，２Ｇ，２Ｈ  便座ボックス
５  サイドカバー
６  ベース
６Ａ  固定ベース
６Ｂ  昇降ベース
６ａ  アンダーボックス部
６ｂ，６ｃ  凹所
７  カバー
７ｃ，７ｄ  凹所
８  開口
９  スピーカ
１１  ブラケット
１２  フロントアンダーカバー
１３  スピーカ係合部
１４  リヤアンダーカバー
【図１】
2011099294.tif 000003
【図２】
2011099294.tif 000004
【図３】
2011099294.tif 000005
【図４】
2011099294.tif 000006
【図５】
2011099294.tif 000007
【図６】
2011099294.tif 000008
【図７】
2011099294.tif 000009
【図８】
2011099294.tif 000010
【図９】
2011099294.tif 000011
【図１０】
2011099294.tif 000012
【図１１】
2011099294.tif 000013
【図１２】
2011099294.tif 000014